(57)【要約】【課題】  ビデオカメラなどで撮影をする時に、ユーザーに風雑音の有無／強弱を知らせ、それに対してユーザーが自由に風雑音対策の有無／強弱を選択し、またそれが記録されたあとでも風雑音対策の有無を選択できる手段を提供すること。【解決手段】  風雑音の有無／強弱を表示する手段と、風雑音対策の有無／強弱を手動で選択できる手段と、記録後でも風雑音対策の有無を選択できる手段を設けた。【選択図】  図１
2010004339.tif 000002
【特許請求の範囲】
【請求項１】
４ｃｈモードの記録再生ができる機能と、ステレオ１、ステレオ２にそれぞれ別のモードの音声を記録する機能を有したことを特徴とするビデオカメラ。
【請求項２】
前記ステレオ１にはユーザーが選択した風による雑音の対策を施した音声を記録し、
前記ステレオ２には、風による雑音の対策を施していない音声を記録することを特徴とする請求項１に記載のビデオカメラ。
【請求項３】
前記ステレオ１、前記ステレオ２に、ユーザーが別々に選択した風による雑音の対策を施した音声を記録することを特徴とする請求項１に記載のビデオカメラ。
【請求項４】
風による雑音の影響の程度を表示する表示手段と、前記雑音の対策を多段階にて手動で選択する手段を有したことを特徴とする請求項２又は、請求項３に記載のビデオカメラ。
【発明の詳細な説明】
【技術分野】
【０００１】
本発明は、ビデオカメラにおける音声信号の記録方法に関するものである。
【０００２】
又、本発明は、ビデオカメラにおける風による雑音〔以下これを風雑音と称する〕の軽減手法の選択方法に関するものである。
【背景技術】
【０００３】
従来、ビデオカメラにおいて風雑音が入力される場合、入力される風雑音のレベルにより自動で風雑音対策を施すか、風雑音が入力されたことをユーザーに知らせ手動にて風雑音対策のＯＮ／ＯＦＦのみを行っていた。
【０００４】
上記の例として、下記特許文献１をあげることが出来る。
【特許文献１】特開2007-081560号公報
【発明の開示】
【発明が解決しようとする課題】
【０００５】
しかしながら、上記従来例では以下のような不都合がある。
【０００６】
風雑音の対策を施す場合、著しく元の音声の音質を変化させるため、ユーザーの意図しない音質になる可能性がある。従来技術では音声記録方式の設定を決めてから記録して、再生時に実際ユーザーの意図した音質とは違った場合、再度設定して記録するほかなかった。また、このような状況のもとで自動にて風雑音対策を施した場合、ユーザーの意図しない状況下で音質を変えてしまう。また、風雑音をユーザーに知らせても、風雑音対策のＯＮ／ＯＦＦのみが選択できるだけで、風雑音のレベルに応じての風雑音対策の選択ができなかった。また、風雑音対策を施して記録してしまうと、再生するときに風雑音対策のＯＮ／ＯＦＦを選択できなかった。
【０００７】
本出願に係る第一の目的は、ユーザーに風雑音の有無／強弱を知らせ、それに対してユーザーが自由に風雑音対策の有無／強弱を選択し、またそれが記録されたあとでも風雑音対策の有無を選択できる手段を提供することにある。
【課題を解決するための手段】
【０００８】
上記目的を達成するため本出願に係るビデオカメラは、風雑音の有無／強弱を表示する手段と、風雑音対策の有無／強弱を手動で選択できる手段と、記録後でも風雑音対策の有無を選択できる手段を備えたことを特徴とする。
【発明の効果】
【０００９】
本発明によれば、ビデオカメラなどで撮影をする時に、ユーザーに風雑音の有無／強弱を知らせ、それに対してユーザーが自由に風雑音対策の有無／強弱を選択し、またそれが記録されたあとでも風雑音対策の有無を選択できる効果がある。
【発明を実施するための最良の形態】
【００１０】
次に、本発明の詳細を実施例の記述に従って説明する。
【実施例１】
【００１１】
第一の実施例として、ウィンドカットＯＦＦ記録＋手動３段階可変風雑音対策＋風量表示機能を例にとって、図１、図２、図３、図４、図５、図６、図７、図８に基づき説明する。
【００１２】
図１は本発明を適用したビデオカメラのブロック図であり、図１において１は音声信号を取り込むところのマイク部、２は音声信号を増幅させるところのマイクアンプ部、３は風雑音を軽減させるところの風雑音対策部、４は風雑音対策部の出力信号１をＡ／Ｄ変換するところの音声Ａ／Ｄ部１、５は雑音対策部の出力信号２をＡ／Ｄ変換するところの音声Ａ／Ｄ部２、６はユーザーに風雑音の状況を知らせるところの風雑音表示部、７はマイクアンプ部からの音声信号から風雑音を検出するところの風雑音検出部、８は記録モードを変更するところの記録方式変更部、９は各ブロックを制御するところのマイコン部、１０は音声Ａ／Ｄ部１の出力と音声Ａ／Ｄ部２の出力を取り込み、ステレオ１とステレオ２の記録するタイミングに出力するところの信号処理部、１１はユーザーが風雑音対策を調節するところの風雑音対策調節部、１２は音声データ及び映像データを記録するところの記録部である。
【００１３】
図２は、図１の３風雑音対策部の詳細例１を示した図であり、図２において２１は風雑音を軽減させるところの１次ＨＰＦ、２２は風雑音をより多く軽減させるところの２次ＨＰＦ、２３は風雑音を最も軽減させるところの３次ＨＰＦ、２４は図２の、１次ＨＰＦの出力と、２次ＨＰＦの出力と３次ＨＰＦの出力と、図１の２マイクアンプ部出力を受け取り、図１の９マイコン部からの制御により、図１の４音声Ａ／Ｄ部１と、図１の５音声Ａ／Ｄ部２に出力する選択ＳＷである。
【００１４】
図３は、図２の１次ＨＰＦ、２次ＨＰＦ、３次ＨＰＦの特性を表した図である。
【００１５】
図４は、図１の３風雑音対策部の別の詳細例２を示した図であり、２１は風雑音を軽減させるところの１次ＨＰＦ、２２は風雑音をより多く軽減させるところの２次ＨＰＦ、２３は風雑音を最も軽減させるところの３次ＨＰＦ、２４は１次ＨＰＦの出力と、２次ＨＰＦの出力と３次ＨＰＦの出力と、図１の２マイクアンプ部出力を受け取り、図１の９マイコン部からの制御により、図１の４音声Ａ／Ｄ部１と、図１の５音声Ａ／Ｄ部２に出力する選択ＳＷである。
【００１６】
図５は、図４の１次ＨＰＦ、１次ＨＰＦ＋２次ＨＰＦ、１次ＨＰＦ＋２次ＨＰＦ＋３次ＨＰＦの特性をあらわした図である。
【００１７】
図６は、図１の７風雑音検出部の詳細例１を示した図であり、６１は図１の２マイクアンプ出力部の信号を取り込み、音声信号と風雑音とを分離するところのＬＰＦ、６２は風雑音成分をＡ／Ｄ変換するところのＡ／Ｄ部、６３は風雑音成分のデジタル信号を読み取り風の強弱を判断するところのビット判定部である。
【００１８】
図７は、図１の６風雑音表示部の表示例を示した図である。
【００１９】
図８は、図１の１０信号処理部の詳細例を示した図であり、８１は音声A/D部１の出力信号を、デジタルデータ入力部２と同期を取りながら３メモリ部に書き込みを行うところのデジタルデータ入力部１、８２は音声A/D部２の出力信号を、デジタルデータ入力部１と同期を取りながら３メモリ部に書き込みを行うところのデジタルデータ入力部２、８３は１デジタルデータ入力部１と２デジタルデータ入力部２の出力データを保持し、１の９マイコン部からステレオ１／ステレオ２のタイミングをもらってそれに同期してデータを出力するところのメモリ部である。
【００２０】
以下、図１を中心に各部の動作説明を行う。
【００２１】
１マイク部に風雑音が入力された場合、図１のマイクアンプ部２にて増幅され、風雑音検出部７に入力される。風雑音検出部７にて風の有無及び強弱を判断し、風雑音対策部３にデータを送り、風雑音表示部６にて風の有無及び強弱を表示する。この表示をユーザーが見て、風雑音対策調節部１１にて風雑音対策の有無及び強弱を決定する。この決定データをマイコン部９が受け取り、風雑音対策部３のモードを設定する。風雑音対策部３は、その設定にあわせた対策を施し、音声Ａ／Ｄ部１（４）に出力する。音声Ａ／Ｄ部１（４）は、アナログ信号をデジタル化し、信号処理部１０にデータを送る。またこの時、記録方式変更部８にてユーザーが“ウィンドカットＯＦＦ記録モード”を選択すると、記録モードをＳＰモードの１２ｂｉｔ／４ｃｈ記録モードに移行し、この決定データをマイコン部９が受け取り、音声Ａ／Ｄ部２（５）を活性化させ、信号処理部１０を１２ｂｉｔ／４ｃｈ記録モードに移行させる。信号処理部１０が１２ｂｉｔ／４ｃｈ記録モードに移行すると、音声Ａ／Ｄ部１（４）のデータをステレオ１に記録するタイミングにてテープ記録部に送り出し、音声Ａ／Ｄ部２（５）のデータはステレオ２に記録するタイミングにてテープ記録部に送り出す。このことにより、ステレオ１にはユーザーの選択した風雑音対策の音声が記録され、ステレオ２には風雑音対策無しの音声が記録され、再生時にこの二つを選択することが可能となる。
【００２２】
次に、図１の風雑音対策部３の具体的な例１を、図２、図３に示す。図２は具体的なブロック図であり、図３は、図２の1次ＨＰＦ、２次ＨＰＦ、３次ＨＰＦの特性を示したものである。マイクアンプからの出力信号を図３の特性をもつ1次ＨＰＦ、２次ＨＰＦ、３次ＨＰＦ、それぞれのフィルタで低域を減衰させる。その中でユーザーが図１の１０風雑音対策調節部にて選んだ設定の信号を図２の選択ＳＷ２４にて選び、図１の音声Ａ／Ｄ部１（４）に信号を出力する。
【００２３】
次に、図１の風雑音対策部３の具体的な例２を、図４、図５に示す。図４は具体的なブロック図であり、図５は、図４の1次ＨＰＦ、1次ＨＰＦ＋２次ＨＰＦ、1次ＨＰＦ＋２次ＨＰＦ＋３次ＨＰＦの特性を示したものである。図２のブロックより低域の減衰カーブが急峻である。
【００２４】
次に、風雑音検出部７及び風雑音表示部６の具体的な例を、図６、図７に示す。
【００２５】
図６は、風量検出部の具体的なブロック例であり、図７は表示例である。風雑音は低域成分が主であるので、図６のＬＰＦ６１にて風雑音成分を抽出する。その信号をＡ／Ｄ部６２にてデジタル信号化し、ビット判定部６３に出力する。ビット判定部６３は風雑音の大／中／小を判断し、図１の風雑音表示部６にデータを送る。風雑音表示部６はデータを受け取り、図７のように表示する。
【００２６】
次に、図１の信号処理部１０の具体的な例を、図８に示す。図８は信号処理部１０の具体的なブロック図である。図１の音声Ａ／Ｄ部１（４）の出力信号を図８の１デジタルデータ入力部１で受け取り、図１の音声Ａ／Ｄ部２（５）の出力信号を、図８のデジタルデータ入力部２で受け取る。デジタルデータ入力部８１とデジタルデータ入力部８２は同期を取りながらメモリ部８３に書き込む。メモリ部８３は、マイコン部９からステレオ１とステレオ２の音声書き込みタイミングをもらい、それに同期して図１の記録部１２へ出力する。
【実施例２】
【００２７】
第二の実施例として、ウィンドカット２モード記録を例にとって、図１、図９に基づき説明する。
【００２８】
図９は、第二の実施例を示す図であり、図１の風雑音対策部３、音声Ａ／Ｄ部１（４）、音声Ａ／Ｄ部２（５）の構成を変えた部分を示した図である。図９において２１は１次ＨＰＦ、２２は２次ＨＰＦ、２３は３次ＨＰＦ、２４は選択ＳＷ、４は図１の４と同じ働きをする音声Ａ／Ｄ部１、５は図１の５と同じ働きをする音声Ａ／Ｄ部２である。
【００２９】
以下に、説明を記す。マイク部１に風雑音が入力された場合、図１のマイクアンプ部２にて増幅され、風雑音検出部７に入力される。風雑音検出部７にて風の有無及び強弱を判断し、図９の風雑音対策部３にデータを送り、図１の風雑音表示部６にて風の有無及び強弱を表示する。
【００３０】
この表示をユーザーが見て、図１の記録方式変更部８にてユーザーが“ウィンドカット２種類記録モード”を選択すると、記録モードをＳＰモードの１２ｂｉｔ／４ｃｈ記録モードに移行し、この決定データを図１のマイコン部９が受け取り、図９の音声Ａ／Ｄ部２（５）を活性化させ、図１の信号処理部１０を１２ｂｉｔ／４ｃｈ記録モードに移行させる。
【００３１】
図１の風雑音対策調節部１１にて、二種類の風雑音対策の有無及び強弱を決定する。この決定データを図１のマイコン部９が受け取り、図９の風雑音対策部３のモードを設定する。風雑音対策部３は、その設定にあわせた対策を施し、音声Ａ／Ｄ部１（４）、音声Ａ／Ｄ部２（５）に出力する。音声Ａ／Ｄ部１（４）、音声Ａ／Ｄ部２（５）は、アナログ信号をデジタル化し、図１の信号処理部１０に各々データを送る。
【００３２】
図１の信号処理部１０は、音声Ａ／Ｄ部１（４）のデータをステレオ１に記録するタイミングにてテープ記録部に送り出し、音声Ａ／Ｄ部２（５）のデータはステレオ２に記録するタイミングにてテープ記録部に送り出す。このことにより、ステレオ１、ステレオ２にユーザーの選択した風雑音対策の音声が記録されることになる。
【図面の簡単な説明】
【００３３】
【図１】本発明を適用したビデオカメラのブロック図
【図２】図１における風雑音対策部の詳細例を示した図
【図３】図２における１次ＨＰＦ、２次ＨＰＦ、３次ＨＰＦの特性を表した図
【図４】図１における風雑音対策部の別の詳細例を示した図
【図５】図４における１次ＨＰＦ、２次ＨＰＦ、３次ＨＰＦの特性を表した図
【図６】図１における風雑音検出部の詳細例を示した図
【図７】図１における風雑音表示部の表示例を示した図である
【図８】図１における信号処理部の詳細例を示した図
【図９】第二の実施例を示す図
【符号の説明】
【００３４】
１  マイク部
２  マイクアンプ部
３  風雑音対策部
４  音声Ａ／Ｄ部１
５  音声Ａ／Ｄ部２
６  風雑音表示部
７  風雑音検出部
８  記録方式変更部
９  マイコン部
１０  信号処理部
１１  風雑音対策調節部
１２  記録部
２１  １次ＨＰＦ
２２  ２次ＨＰＦ
２３  ３次ＨＰＦ
２４  選択ＳＷ
６１  ＬＰＦ
６２  Ａ／Ｄ部
６３  ビット判定部
８１  デジタルデータ入力部１
８２  デジタルデータ入力部２
８３  メモリ部
【図１】
2010004339.tif 000003
【図２】
2010004339.tif 000004
【図３】
2010004339.tif 000005
【図４】
2010004339.tif 000006
【図５】
2010004339.tif 000007
【図６】
2010004339.tif 000008
【図７】
2010004339.tif 000009
【図８】
2010004339.tif 000010
【図９】
2010004339.tif 000011